(57)【特許請求の範囲】
【請求項１】
車両が走行方向に走行して移動する車両移動領域の側方に配設された縦配管と、
平面視で噴射口が前記走行方向に対して直交する第１方向に向かって開口するように前記縦配管に設けられ、その噴射口から消毒液を車両に向けて噴射する第１横向きノズルと、
平面視で噴射口が前記第１方向に対して前記走行方向の前方側に傾斜する第２方向に向かって開口するように前記縦配管に設けられ、その噴射口から消毒液を車両に向けて噴射する第２横向きノズルと、
平面視で噴射口が前記第１方向に対して前記走行方向の後方側に傾斜する第３方向に向かって開口するように前記縦配管に設けられ、その噴射口から消毒液を車両に向けて噴射する第３横向きノズルとを備え、
前記第１横向きノズル、前記第２横向きノズルおよび前記第３横向きノズルは、いずれも同じ前記縦配管に設けられている
ことを特徴とする車両消毒装置。
【請求項２】
車両移動領域の上方に配設され、縦配管に接続された横配管と、
側面視で噴射口が前記走行方向に対して直交する第１方向に向かって開口するように前記横配管に設けられ、その噴射口から消毒液を車両に向けて噴射する第１下向きノズルと、
側面視で噴射口が前記第１方向に対して前記走行方向の前方側に傾斜する第２方向に向かって開口するように前記横配管に設けられ、その噴射口から消毒液を車両に向けて噴射する第２下向きノズルと、
側面視で噴射口が前記第１方向に対して前記走行方向の後方側に傾斜する第３方向に向かって開口するように前記横配管に設けられ、その噴射口から消毒液を車両に向けて噴射する第３下向きノズルと、
前記車両移動領域の下方に配設され、前記横配管の下方に位置する下横配管と、
側面視で噴射口が前記走行方向に対して直交する第１方向に向かって開口するように前記下横配管に設けられ、その噴射口から消毒液を車両に向けて噴射する第１上向きノズルと、
側面視で噴射口が前記第１方向に対して前記走行方向の前方側に傾斜する第２方向に向かって開口するように前記下横配管に設けられ、その噴射口から消毒液を車両に向けて噴射する第２上向きノズルと、
側面視で噴射口が前記第１方向に対して前記走行方向の後方側に傾斜する第３方向に向かって開口するように前記下横配管に設けられ、その噴射口から消毒液を車両に向けて噴射する第３上向きノズルと
を備えることを特徴とする請求項１記載の車両消毒装置。
【請求項３】
縦配管を覆う細長筒状の縦配管カバー体と、
横配管を覆う細長筒状の横配管カバー体とを備え、
第１横向きノズル、第２横向きノズルおよび第３横向きノズルは、前記縦配管カバー体内に配設され、
第１下向きノズル、第２下向きノズルおよび第３下向きノズルは、前記横配管カバー体内に配設され、
前記縦配管カバー体の走行方向に沿った平板部には、前記第１横向きノズルの噴射口と近接対向する開口部が形成され、
前記縦配管カバー体の走行方向前方側の傾斜平板部には、前記第２横向きノズルの噴射口と近接対向する開口部が形成され、
前記縦配管カバー体の走行方向後方側の傾斜平板部には、前記第３横向きノズルの噴射口と近接対向する開口部が形成され、
前記横配管カバー体の走行方向に沿った平板部には、前記第１下向きノズルの噴射口と近接対向する開口部が形成され、
前記横配管カバー体の走行方向前方側の傾斜平板部には、前記第２下向きノズルの噴射口と近接対向する開口部が形成され、
前記横配管カバー体の走行方向後方側の傾斜平板部には、前記第３下向きノズルの噴射口と近接対向する開口部が形成されている
ことを特徴とする請求項２記載の車両消毒装置。
【請求項４】
第１横向きノズル、第２横向きノズルおよび第３横向きノズルは、いずれも同じ縦配管にそれぞれ複数設けられ、
１つの前記第１横向きノズルと１つの前記第２横向きノズルと１つの前記第３横向きノズルとからなる１組のノズル群が、前記縦配管の下側、中央側および上側にそれぞれ設けられている
ことを特徴とする請求項１ないし３のいずれか一記載の車両消毒装置。
【発明の詳細な説明】
【技術分野】
【０００１】
本発明は、車両を消毒する車両消毒装置に関するものである。
【背景技術】
【０００２】
従来、例えば下記の特許文献１に記載された車両消毒装置が知られている。
【０００３】
この従来の車両消毒装置は、例えば車両が走行して通過する門型状のゲート本体（枠組）と、このゲート本体の内側に取り付けられた配管と、噴射口が車両の走行方向に対して直交する方向に向かって開口するように配管に設けられ、その噴射口から消毒液を車両に向けて噴射する複数の噴射ノズル（横向きノズル、下向きノズル）とを備えている。
【先行技術文献】
【特許文献】
【０００４】
【特許文献１】特開２００７−８９９５１号公報（図１）
【発明の概要】
【発明が解決しようとする課題】
【０００５】
しかしながら、上記従来の車両消毒装置では、噴射ノズルから噴射される消毒液が車両の前面の一部分や後面の一部分に当たらない場合があり、車両を適切に消毒できないおそれがある。
【０００６】
本発明は、このような点に鑑みなされたもので、車両を適切に消毒できる車両消毒装置を提供することを目的とする。
【課題を解決するための手段】
【０００７】
請求項１記載の車両消毒装置は、車両が走行方向に走行して移動する車両移動領域の側方に配設された縦配管と、平面視で噴射口が前記走行方向に対して直交する第１方向に向かって開口するように前記縦配管に設けられ、その噴射口から消毒液を車両に向けて噴射する第１横向きノズルと、平面視で噴射口が前記第１方向に対して前記走行方向の前方側に傾斜する第２方向に向かって開口するように前記縦配管に設けられ、その噴射口から消毒液を車両に向けて噴射する第２横向きノズルと、平面視で噴射口が前記第１方向に対して前記走行方向の後方側に傾斜する第３方向に向かって開口するように前記縦配管に設けられ、その噴射口から消毒液を車両に向けて噴射する第３横向きノズルとを備え、前記第１横向きノズル、前記第２横向きノズルおよび前記第３横向きノズルは、いずれも同じ前記縦配管に設けられているものである。
【０００８】
請求項２記載の車両消毒装置は、請求項１記載の車両消毒装置において、車両移動領域の上方に配設され、縦配管に接続された横配管と、側面視で噴射口が前記走行方向に対して直交する第１方向に向かって開口するように前記横配管に設けられ、その噴射口から消毒液を車両に向けて噴射する第１下向きノズルと、側面視で噴射口が前記第１方向に対して前記走行方向の前方側に傾斜する第２方向に向かって開口するように前記横配管に設けられ、その噴射口から消毒液を車両に向けて噴射する第２下向きノズルと、側面視で噴射口が前記第１方向に対して前記走行方向の後方側に傾斜する第３方向に向かって開口するように前記横配管に設けられ、その噴射口から消毒液を車両に向けて噴射する第３下向きノズルと、前記車両移動領域の下方に配設され、前記横配管の下方に位置する下横配管と、側面視で噴射口が前記走行方向に対して直交する第１方向に向かって開口するように前記下横配管に設けられ、その噴射口から消毒液を車両に向けて噴射する第１上向きノズルと、側面視で噴射口が前記第１方向に対して前記走行方向の前方側に傾斜する第２方向に向かって開口するように前記下横配管に設けられ、その噴射口から消毒液を車両に向けて噴射する第２上向きノズルと、側面視で噴射口が前記第１方向に対して前記走行方向の後方側に傾斜する第３方向に向かって開口するように前記下横配管に設けられ、その噴射口から消毒液を車両に向けて噴射する第３上向きノズルとを備えるものである。
【０００９】
請求項３記載の車両消毒装置は、請求項２記載の車両消毒装置において、縦配管を覆う細長筒状の縦配管カバー体と、横配管を覆う細長筒状の横配管カバー体とを備え、第１横向きノズル、第２横向きノズルおよび第３横向きノズルは、前記縦配管カバー体内に配設され、第１下向きノズル、第２下向きノズルおよび第３下向きノズルは、前記横配管カバー体内に配設され、前記縦配管カバー体の走行方向に沿った平板部には、前記第１横向きノズルの噴射口と近接対向する開口部が形成され、前記縦配管カバー体の走行方向前方側の傾斜平板部には、前記第２横向きノズルの噴射口と近接対向する開口部が形成され、前記縦配管カバー体の走行方向後方側の傾斜平板部には、前記第３横向きノズルの噴射口と近接対向する開口部が形成され、前記横配管カバー体の走行方向に沿った平板部には、前記第１下向きノズルの噴射口と近接対向する開口部が形成され、前記横配管カバー体の走行方向前方側の傾斜平板部には、前記第２下向きノズルの噴射口と近接対向する開口部が形成され、前記横配管カバー体の走行方向後方側の傾斜平板部には、前記第３下向きノズルの噴射口と近接対向する開口部が形成されているものである。
【００１０】
請求項４記載の車両消毒装置は、請求項１ないし３のいずれか一記載の車両消毒装置において、第１横向きノズル、第２横向きノズルおよび第３横向きノズルは、いずれも同じ縦配管にそれぞれ複数設けられ、１つの前記第１横向きノズルと１つの前記第２横向きノズルと１つの前記第３横向きノズルとからなる１組のノズル群が、前記縦配管の下側、中央側および上側にそれぞれ設けられているものである。
【発明の効果】
【００１１】
本発明によれば、消毒液によって車両を適切に消毒することができる。
【図面の簡単な説明】
【００１２】
【図１】本発明の一実施の形態に係る車両消毒装置の側面図である。
【図２】同上車両消毒装置の正面図である。
【図３】同上車両消毒装置の平面図である。
【図４】同上車両消毒装置の下方噴射手段を示す平面図である。
【図５】下方噴射手段の外側配管部を示す側面図である。
【図６】下方噴射手段の内側配管部を示す側面図である。
【図７】同上車両消毒装置の側方噴射手段を示す平面図である。
【図８】側方噴射手段の側面図である。
【発明を実施するための形態】
【００１３】
本発明の一実施の形態について図１ないし図８を参照して説明する。
【００１４】
図中の１は車両消毒装置で、この車両消毒装置１は、例えば畜産施設等の施設（食品工場や化学工場等でもよい）の入出場口に設置され、車両Ｓが走行方向に走行して施設に入る際に、その施設内の家畜が伝染病に感染するのを防止するために、消毒液を用いて車両Ｓを消毒するものである。
【００１５】
車両消毒装置１は、車両Ｓが走行方向に走行して移動する車両移動領域２の左右両側方にそれぞれ配設された上下方向長手状の縦配管３と、車両移動領域２の上方に配設され、左右１対の縦配管３の上端部に接続された左右方向長手状（水平方向長手状）の横配管４とを備えている。つまり、互いに離間対向する左右１対で２本の縦配管３の上端部間に、１本の横配管（上横配管）４が水平状に架設されている。
【００１６】
そして、縦配管３は、上下方向長手状の細長筒状の縦配管カバー体５内に配設され、この縦配管カバー体５にて覆われている。同様に、横配管４は、左右方向長手状の細長筒状の横配管カバー体６内に配設され、この横配管カバー体６にて覆われている。なお、各配管３，４の外周面には、断熱性を有する配管保温材10が取り付けられている。
【００１７】
縦配管カバー体５は、例えば断面六角形状のもので、車両Ｓが走行方向に沿った平板部5aと、車両Ｓが走行方向に対して傾斜した方向に沿った２つの傾斜平板部5b，5cとを有している。
【００１８】
横配管カバー体６は、縦配管カバー体５と同様、例えば断面六角形状のもので、車両Ｓが走行方向に沿った平板部6aと、車両Ｓが走行方向に対して傾斜した方向に沿った２つの傾斜平板部6b，6cとを有している。
【００１９】
また、車両消毒装置１は、平面視で噴射口11aが車両Ｓの走行方向に対して直交する第１方向に向かって開口するように各縦配管３に設けられその噴射口11aから消毒液を車両Ｓに向けて噴射する複数の第１横向きノズル11と、平面視で噴射口12aが第１方向（第１横向きノズルの噴射口の開口方向）に対して車両Ｓの走行方向の前方側に所定傾斜角度αをもって傾斜する第２方向に向かって開口するように各縦配管３に設けられその噴射口12aから消毒液を車両Ｓに向けて噴射する複数の第２横向きノズル12と、平面視で噴射口13aが第１方向に対して車両Ｓの走行方向の後方側に所定傾斜角度αをもって傾斜する第３方向に向かって開口するように各縦配管３に設けられその噴射口13aから消毒液を車両Ｓに向けて噴射する複数の第３横向きノズル13とを備えている（図７参照）。なお、所定傾斜角度αは、例えば４５度である。
【００２０】
図１に示すように、第１横向きノズル11は、縦配管３における高さ位置の異なる複数箇所（例えば３箇所）に設けられている。同様に、第２横向きノズル12は、縦配管３における高さ位置の異なる複数箇所（例えば３箇所）に設けられている。また同様に、第３横向きノズル13は、縦配管３における高さ位置の異なる複数箇所（例えば３箇所）に設けられている。こうして、１つの第１横向きノズル11と１つの第２横向きノズル12と１つの第３横向きノズル13とからなる１組のノズル群が、縦配管３の下側、中央側および上側にそれぞれ設けられている。
【００２１】
また、図８に示すように、縦配管カバー体５のうち、第１横向きノズル11の噴射口11a、第２横向きノズル12の噴射口12aおよび第３横向きノズル13の噴射口13aと対向する部分に、円形状の開口部15が形成されている。
【００２２】
つまり、縦配管カバー体５の平板部5aには第１横向きノズル11の噴射口11aと近接対向する開口部15が形成され、縦配管カバー体５の走行方向前方側の傾斜平板部5bには第２横向きノズル12の噴射口12aと近接対向する開口部15が形成され、縦配管カバー体５の走行方向後方側の傾斜平板部5cには第３横向きノズル13の噴射口13aと近接対向する開口部15が形成されている。そして、横向きノズル11，12，13は、縦配管カバー体５内に配設されている。
【００２３】
さらに、車両消毒装置１は、側面視で噴射口21aが車両Ｓの走行方向に対して直交する第１方向に向かって開口するように横配管４に設けられその噴射口21aから消毒液を車両Ｓに向けて噴射する１つの第１下向きノズル21と、側面視で噴射口22aが第１方向（第１下向きノズルの噴射口の開口方向）に対して車両Ｓの走行方向の前方側に所定傾斜角度αをもって傾斜する第２方向に向かって開口するように横配管４に設けられその噴射口22aから消毒液を車両Ｓに向けて噴射する複数の第２下向きノズル22と、側面視で噴射口23aが第１方向に対して車両Ｓの走行方向の後方側に所定傾斜角度αをもって傾斜する第３方向に向かって開口するように横配管４に設けられその噴射口23aから消毒液を車両Ｓに向けて噴射する複数の第３下向きノズル23とを備えている。なお、所定傾斜角度αは、例えば傾斜状の横向きノズル12，13と同じで、４５度である。
【００２４】
図３に示すように、第１下向きノズル21は、横配管４の左右方向中央の１箇所に設けられている。第２下向きノズル22は、横配管４の左右方向中央付近の複数箇所（例えば２箇所）に設けられている。第３下向きノズル23は、横配管４のうち第２下向きノズル22よりも外側方の複数箇所（例えば２箇所）に設けられている。
【００２５】
また、縦配管カバー体５と同じように、横配管カバー体６のうち、第１下向きノズル21の噴射口21a、第２下向きノズル22の噴射口22aおよび第３下向きノズル23の噴射口23aと対向する部分に、円形状の開口部25が形成されている。
【００２６】
つまり、横配管カバー体６の平板部6aには第１下向きノズル21の噴射口21aと近接対向する開口部25が形成され、横配管カバー体６の走行方向前方側の傾斜平板部6bには第２下向きノズル22の噴射口22aと近接対向する開口部25が形成され、横配管カバー体６の走行方向後方側の傾斜平板部6cには第３下向きノズル23の噴射口23aと近接対向する開口部25が形成されている。そして、下向きノズル21，22，23は、横配管カバー体６内に配設されている。
【００２７】
なお、縦配管３と、縦配管カバー体５と、先端の噴射口が異なる３方向を向いた横向きノズル11，12，13とにて、車両Ｓの左右の各側方から車両Ｓに向けて消毒液を噴射する側方噴射手段26が構成されている。また、横配管４と、横配管カバー体６と、先端の噴射口が異なる３方向を向いた下向きノズル21，22，23とにて、車両Ｓの上方から車両Ｓに向けて消毒液を噴射する上方噴射手段27が構成されている。
【００２８】
また、車両消毒装置１は、車両Ｓの下方から車両Ｓに向けて消毒液を噴射する下方噴射手段31を備えている。
【００２９】
下方噴射手段31は、図４に示されるように、平面視で第１距離Ｌ1を介して離間対向する前後方向長手状（車両の走行方向に長手状）の左右１対で２本の外側配管32と、平面視で第１距離Ｌ1よりも短い第２距離Ｌ2を介して離間対向する前後方向長手状（車両の走行方向に長手状）の左右１対で２本の内側配管33とを有している。
【００３０】
そして、外側配管32には、図５に示されるように、上下方向に対して走行方向後方側に所定傾斜角度（例えば４５度）傾斜して上斜め後方を向いた噴射口36aから、消毒液を車両Ｓのタイヤに向けて噴射する複数（例えば８つ）の傾斜ノズル36が設けられている。また、外側配管32の前端部には、真上を向いた噴射口37aから消毒液を車両Ｓのタイヤに向けて噴射する１つの真上向きノズル37が設けられている。
【００３１】
同様に、内側配管33には、図６に示されるように、上下方向に対して走行方向後方側に所定傾斜角度（例えば４５度）傾斜して上斜め後方を向いた噴射口38aから、消毒液を車両Ｓのタイヤに向けて噴射する複数（例えば５つ）の傾斜ノズル38が設けられている。また、内側配管33の前端部には、真上を向いた噴射口39aから消毒液を車両Ｓのタイヤに向けて噴射する１つの真上向きノズル39が設けられている。
【００３２】
また、下方噴射手段31は、車両移動領域２の下方に配設され横配管４の下方に位置する左右方向長手状（水平方向長手状）の下横配管40と、側面視で噴射口41aが車両Ｓの走行方向に対して直交する第１方向に向かって開口するように下横配管40に設けられその噴射口41aから消毒液を車両Ｓに向けて噴射する１つの第１上向きノズル41と、側面視で噴射口42aが第１方向（第１上向きノズルの噴射口の開口方向）に対して車両Ｓの走行方向の前方側に所定傾斜角度αをもって傾斜する第２方向に向かって開口するように下横配管40に設けられその噴射口42aから消毒液を車両Ｓに向けて噴射する複数の第２上向きノズル42と、側面視で噴射口43aが第１方向に対して車両Ｓの走行方向の後方側に所定傾斜角度αをもって傾斜する第３方向に向かって開口するように下横配管40に設けられその噴射口43aから消毒液を車両Ｓに向けて噴射する複数の第３上向きノズル43とを有している。なお、所定傾斜角度αは、例えば横向きノズル12，13や下向きノズル22，23と同じで、４５度である。
【００３３】
なお、車両Ｓが走行する走行面44には凹溝部45が設けられ、この凹溝部45内に下方噴射手段31が配設されている。凹溝部45の上面開口部にはグレーチング等の溝蓋（図示せず）が取り付けられ、車両Ｓのタイヤが凹溝部45内に落ちないようになっている。また、下横配管40の端部は左右１対の縦配管３の下端部に接続されており、互いに離間対向する２本の縦配管３の下端部間に１本の下横配管40が水平状に架設されている。
【００３４】
さらに、車両消毒装置１は、消毒液を噴射手段26，27，31の配管（単一ライン）３，４，32，33，40に供給する消毒液供給手段46を備えている。この消毒液供給手段46は、例えば消毒液が貯留されるタンク、およびこのタンク内の消毒液を噴射手段26，27，31に向けて圧送するポンプ等を有している。
【００３５】
次に、車両消毒装置１の作用等を説明する。
【００３６】
車両Ｓが走行面44上を走行方向（前方）に向かって走行して車両移動領域２を移動通過する際に、左右の側方噴射手段26のノズル11，12，13からの消毒液、上方噴射手段27のノズル21，22，23からの消毒液および下方噴射手段31のノズル36，37，38，39，41，42，43からの消毒液が、車両Ｓの左右側面、前後面、上下面、タイヤおよびタイヤボックスに当たり、その消毒液によって車両Ｓの全体が消毒（全面消毒）される。
【００３７】
この際、側方噴射手段26のノズル11，12，13、上方噴射手段27のノズル21，22，23および下方噴射手段31のノズル41，42，43は、いずれも先端の噴射口が異なる３方向を向いて開口しているため、消毒液が車両Ｓの前後面に向けて十分に噴射されることとなり、その結果、車両Ｓの前面全体および後面全体にわたって消毒液が当たる。なお、車両Ｓの大きさ（大型、中型、小型）に拘わらず、同様に消毒液によって車両Ｓが消毒される。
【００３８】
そして、上記車両消毒装置１によれば、消毒液が車両Ｓの前後面に対しても十分に噴射されるため、消毒液が車両Ｓの前面の一部分や後面の一部分に当たらない事態が生じず、各ノズルからの消毒液によって車両Ｓを適切に消毒することができる。
【００３９】
なお、車両消毒装置１は、側方噴射手段26、上方噴射手段27および下方噴射手段31を備えた構成には限定されず、例えば上方噴射手段27および下方噴射手段31を備えず、左右両方或いは左右いずれか一方の側方噴射手段26のみを備えた構成等でもよい。
【００４０】
また、各噴射手段26，27，31のノズルの数は、図示した例には限定されず、任意であり、単数でも複数でもよい。
【００４１】
さらに、各噴射手段26，27，31は、例えば異なる３方向（第１〜第３方向）を向いたノズルに加えて、さらに別の方向を向いた追加ノズルを単数或いは複数有するものでもよい。
【００４２】
また、噴射手段26，27，31が有する各ノズルは、先端の円形状の噴射口から消毒液を所定の噴射範囲をもって噴射するものであればよく、図示した構成のものには限定されない。
【００４３】
さらに、ノズルの所定傾斜角度αは、４５度には限定されず、例えば３０度や６０度等でもよく、また、走行方向前後で異なる角度でもよく、さらに、所定傾斜角度αを調整可能な構成としてもよい。
【００４４】
また、例えば噴射の反応性向上のために、配管３，４，32，33，40からなる単一ラインを消毒液が循環する循環ラインとし、かつ、その各配管にノズルを圧力バルブを介して設けた構成としてもよい。
【符号の説明】
【００４５】
１    車両消毒装置
２    車両移動領域
３    縦配管
４    横配管
５    縦配管カバー体
5a 縦配管カバー体の平板部
5b，5c 縦配管カバー体の傾斜平板部
６    横配管カバー体
6a 横配管カバー体の平板部
6b，6c 横配管カバー体の傾斜平板部
11    第１横向きノズル
11a   第１横向きノズルの噴射口
12    第２横向きノズル
12a   第２横向きノズルの噴射口
13    第３横向きノズル
13a   第３横向きノズルの噴射口
15    縦配管カバー体の開口部
21    第１下向きノズル
21a   第１下向きノズルの噴射口
22    第２下向きノズル
22a   第２下向きノズルの噴射口
23    第３下向きノズル
23a   第３下向きノズルの噴射口
25    横配管カバー体の開口部
40 下横配管
41 第１上向きノズル
41a 第１上向きノズルの噴射口
42 第２上向きノズル
42a 第２上向きノズルの噴射口
43 第３上向きノズル
43a 第３上向きノズルの噴射口
Ｓ    車両
【図１】
0006261003.tif 000002
【図２】
0006261003.tif 000003
【図３】
0006261003.tif 000004
【図４】
0006261003.tif 000005
【図５】
0006261003.tif 000006
【図６】
0006261003.tif 000007
【図７】
0006261003.tif 000008
【図８】
0006261003.tif 000009